(57)【要約】【課題】適切に分離された色光を用いて画像を形成及び投射できるプロジェクターを提供すること。【解決手段】本発明のプロジェクターは、複数の光源を有する照明装置と、照明装置から出射された光が入射され、当該入射された光を分離する色分離装置と、色分離装置により分離された光を変調する光変調装置と、光変調装置により変調された光を投射する投射光学装置と、を備え、色分離装置は、複数の光源のそれぞれから出射された光が個別に入射される複数の入射領域（第１入射領域Ａ１及び第２入射領域Ａ２）に応じて設けられ、第１波長範囲内の光を透過させ、当該第１波長範囲外の光を反射させる多層膜６２を有する第１色分離素子６を備え、多層膜６２は、入射領域（第１入射領域Ａ１及び第２入射領域Ａ２）ごとに膜特性が異なる。【選択図】図５
2017044771.tif 000002
【特許請求の範囲】
【請求項１】
複数の光源を有する照明装置と、
前記照明装置から出射された光が入射され、当該入射された光を分離する色分離装置と、
前記色分離装置により分離された光を変調する光変調装置と、
前記光変調装置により変調された光を投射する投射光学装置と、を備え、
前記色分離装置は、前記複数の光源のそれぞれから出射された光が個別に入射される複数の入射領域に応じて設けられ、第１波長範囲内の光を透過させ、当該第１波長範囲外の光を反射させる多層膜を有する第１色分離素子を備え、
前記多層膜は、前記入射領域ごとに膜特性が異なることを特徴とするプロジェクター。
【請求項２】
請求項１に記載のプロジェクターにおいて、
前記複数の光源は、第１光源及び第２光源を含み、
前記色分離装置は、
前記第１光源から出射された光が入射される第１入射領域と、
前記第２光源から出射された光が入射される第２入射領域と、を含み、
前記第１入射領域における前記多層膜の厚さ寸法と、前記第２入射領域における前記多層膜の厚さ寸法とは、異なることを特徴とするプロジェクター。
【請求項３】
請求項２に記載のプロジェクターにおいて、
前記第１入射領域及び前記第２入射領域のうち、一方の入射領域に対する光の入射角は、他方の入射領域に対する光の入射角より大きく、
前記一方の入射領域における前記多層膜の厚さ寸法は、前記他方の入射領域における前記多層膜の厚さ寸法より小さいことを特徴とするプロジェクター。
【請求項４】
請求項２又は請求項３に記載のプロジェクターにおいて、
前記第１入射領域及び前記第２入射領域における前記多層膜のそれぞれの厚さ寸法は、前記光の進行方向に向かうに従って連続的に大きくなることを特徴とするプロジェクター。
【請求項５】
請求項１から請求項４のいずれか一項に記載のプロジェクターにおいて、
前記第１色分離素子は、前記入射領域ごとに膜特性が異なる前記多層膜がそれぞれ形成された複数の基板が一体化された構成を有することを特徴とするプロジェクター。
【請求項６】
請求項１から請求項５のいずれか一項に記載のプロジェクターにおいて、
前記色分離装置は、前記第１色分離素子と、
前記第１色分離素子により分離された光のうち、第２波長範囲内の光を透過させ、当該第２波長範囲外の光を反射させる第２色分離素子と、を備えることを特徴とするプロジェクター。
【発明の詳細な説明】
【技術分野】
【０００１】
本発明は、プロジェクターに関する。
【背景技術】
【０００２】
従来、照明装置と、当該照明装置から出射された光を変調して画像情報に応じた画像を形成する光変調装置と、形成された画像をスクリーン等の被投射面上に拡大投射する投射光学装置と、を備えたプロジェクターが知られている。
このようなプロジェクターとして、複数の光源ランプユニットから出射された光を合成した照明光を出射する照明装置を備えたプロジェクターが知られている（例えば、特許文献１参照）。
【０００３】
この特許文献１に記載のプロジェクターでは、照明装置は、第１の光源ランプユニット、第２の光源ランプユニット、合成ミラー、平行化レンズ、フライアイレンズ、偏光変換素子及び重畳レンズを備えている。これらのうち、第１の光源ランプユニット及び第２の光源ランプユニットは、合成ミラーを挟んで互いに対向するように配置され、当該合成ミラーにて同方向に反射された各光源ランプユニットの光は、平行化レンズによって平行化された後、フライアイレンズ、偏光変換素子及び重畳レンズを介して照明装置から出射され、色分離光学系に入射される。
【０００４】
また、上記プロジェクターの色分離光学系は、第１ダイクロイックミラー、第２ダイクロイックミラー、反射ミラー、フィールドレンズ及びリレーレンズを備えている。上記重畳レンズを介して、当該色分離光学系に供給された光は、まず、第１ダイクロイックミラーに供給され、第２ダイクロイックミラー、フィールドレンズ、リレーレンズを介して光変調部に入射され、当該光変調部により変調された光が投射光学装置から被投射面に向けて出射される。
【先行技術文献】
【特許文献】
【０００５】
【特許文献１】特開２０１０−１６４７３１号公報
【発明の概要】
【発明が解決しようとする課題】
【０００６】
上記特許文献１に記載のプロジェクターは、第１の光源ランプユニット及び第２の光源ランプユニットを備え、それぞれの光源ランプユニットから出射され、上記平行化レンズにおいて互いの照射領域を重ね合わせている。この時に平行化レンズに入射する角度が互いに異なるので、当該第１ダイクロイックミラーに入射される光の入射角度は、それぞれ異なる。
【０００７】
ここで、ダイクロイックミラーは、所定の波長領域の光束を反射し、他の波長領域の光束を透過する波長選択作用を有する誘電体多層膜が透明基板上に形成された構成を有する。この誘電体多層膜の分光特性は、当該誘電体多層膜に対する光の入射角度に依存する（入射角依存性を有する）。このため、複数の光源からの出射光がダイクロイックミラーに対して異なる角度で入射されると、当該ダイクロイックミラーを透過した光の波長が、一方の光源に由来する光と、他方の光源に由来する光とで異なり、当該ダイクロイックミラーにて反射された光の波長も、一方の光源に由来する光と、他方の光源に由来する光とで異なる。このような光が変調されて被投射面に画像が投射されると、一方の光源からの出射光に基づく画像の色（波長）と、他方の光源からの出射光に基づく画像の色（波長）とが異なるという問題がある。特に、一方の光源及び他方の光源のいずれかを点灯させて画像を投射させた場合、一方の画像の色に対して他方の画像の色がずれるという課題がある。
【０００８】
本発明は、上述の課題の少なくとも一部を解決することを目的としたものであり、適切に分離された色光を用いて画像を形成及び投射できるプロジェクターを提供することを目的の１つとする。
【課題を解決するための手段】
【０００９】
本発明の一態様に係るプロジェクターは、複数の光源を有する照明装置と、前記照明装置から出射された光が入射され、当該入射された光を分離する色分離装置と、前記色分離装置により分離された光を変調する光変調装置と、前記光変調装置により変調された光を投射する投射光学装置と、を備え、前記色分離装置は、前記複数の光源のそれぞれから出射された光が個別に入射される複数の入射領域に応じて設けられ、第１波長範囲内の光を透過させ、当該第１波長範囲外の光を反射させる多層膜を有する第１色分離素子を備え、前記多層膜は、前記入射領域ごとに膜特性が異なることを特徴とする。
【００１０】
なお、上記第１色分離素子としては、ダイクロイックミラーを例示でき、上記多層膜としては、誘電体多層膜を例示できる。また、複数の光源としては、発光管及びリフレクターを備える光源ランプの他、半導体レーザー及び蛍光体からなる蛍光体光源、ＬＥＤ（Light Emitting Diode）、並びにＬＤ（Laser Diode）を例示できる。また、上記光が個別に入射されることには、他の光源から出射された光の一部が含まれていてもよい。
上記一態様によれば、複数の光源から出射された光のそれぞれは、異なる光路を経由して第１色分離素子の光に応じて設定される複数の入射領域に入射される。この入射領域に応じて設けられた多層膜の膜特性が、例えば、複数の光源のそれぞれから出射された光の入射角度に応じて異なっていれば、上記複数の光源のそれぞれから出射された光における第１波長範囲内の光を適切に透過させ、当該第１波長範囲外の光を適切に反射できる。換言すると、第１色分離素子において複数の光源のそれぞれから出射された光の分光特性を略同一にできる。従って、適切に分離された色光を用いて画像を形成及び投射できる。
【００１１】
上記一態様では、前記複数の光源は、第１光源及び第２光源を含み、前記色分離装置は、前記第１光源から出射された光が入射される第１入射領域と、前記第２光源から出射された光が入射される第２入射領域と、を含み、前記第１入射領域における前記多層膜の厚さ寸法と、前記第２入射領域における前記多層膜の厚さ寸法とは、異なることが好ましい。
ここで、多層膜の入射角依存性は、光の入射角が異なることにより当該多層膜を通過する光路長の違いに起因するものである。
上記第１態様によれば、例えば、第１光源から出射され、第１入射領域における多層膜を透過する光の光路長と、第２光源から出射され、第２入射領域における多層膜を透過する光の光路長とが略同一になるように第１入射領域及び第２入射領域のそれぞれに対応する多層膜の厚さ寸法を異ならせれば、第１入射領域及び第２入射領域に入射される上記各光の分光特性を略同一にできる。従って、適切に分離された色光を用いて画像を形成及び投射できる。
【００１２】
上記一態様では、前記第１入射領域及び前記第２入射領域のうち、一方の入射領域に対する光の入射角は、他方の入射領域に対する光の入射角より大きく、前記一方の入射領域における前記多層膜の厚さ寸法は、前記他方の入射領域における前記多層膜の厚さ寸法より小さいことが好ましい。
ここで、第１光源から出射された光の多層膜への入射角と第２光源から出射された光の多層膜への入射角は異なる。例えば、第１光源から出射された光の上記入射角が第２光源から出射された光の上記入射角より大きい場合、第１入射領域及び第２入射領域における多層膜の厚さ寸法が同一であると、第１入射領域の多層膜を透過する光路長は、第２入射領域における多層膜を透過する光路長より大きくなる。これにより、第１入射領域及び第２入射領域のそれぞれの分光特性が異なることとなり、適切に色光を分離できない可能性が高い。
これに対し、上記一態様によれば、第１光源及び第２光源のそれぞれから出射された光の入射角が大きい入射領域における多層膜の厚さ寸法が他方の入射領域における多層膜の厚さ寸法より小さいので、第１入射領域及び第２入射領域のそれぞれに対応する多層膜を透過する各光の光路長の差を小さく抑えることができる。従って、第１入射領域及び第２入射領域における多層膜のそれぞれに入射される各光の分光特性を略同一にできるので、適切に分離された色光を用いて画像を形成及び投射できる。
【００１３】
上記一態様では、前記第１入射領域及び前記第２入射領域における前記多層膜のそれぞれの厚さ寸法は、前記光の進行方向に向かうに従って連続的に大きくなることが好ましい。
ここで、第１光源及び第２光源から出射された光のそれぞれは、当該光の中心軸から均等に広がる幅を持った光束である。このため、第１光源から出射された光のうち、上記中心軸を通る光の第１入射領域を透過する光路長と、第２光源から出射された光のうち、上記中心軸を通る光の第２入射領域を通過する光路長とが、略同一に設定されたとしても、当該第１光源から出射された光のうち、上記中心軸以外を透過する光の上記光路長と、第２光源から出射された光のうち、上記中心軸以外を通過する光の光路長とが略同一とならない可能性がある。
これに対し、上記一態様によれば、第１入射領域及び第２入射領域における多層膜のそれぞれが光の進行方向に向かうに従って連続して大きくなるので、第１入射領域及び第２入射領域における多層膜を通過する第１光源及び第２光源から出射された各光の中心軸の光路長のみならず、当該中心軸以外を通過する光の光路長を略同一にできる。これによれば、第１光源及び第２光源のそれぞれから出射され、第１入射領域及び第２入射領域の略全領域に入射される光の分光特性をより同一に近付けることできるので、適切に分離された色光を用いて画像を形成及び投射できる。
【００１４】
上記一態様では、前記第１色分離素子は、前記入射領域ごとに膜特性が異なる前記多層膜がそれぞれ形成された複数の基板が一体化された構成を有することが好ましい。
例えば、色分離素子が１枚の透明基板上に多層膜が形成された構成である場合、膜特性を入射領域ごとに異ならせることは、色分離素子の製造工程を複雑化する。
これに対し、上記一態様によれば、複数の光源ごとに膜特性が異なる多層膜がそれぞれ形成された複数の基板を一体化することにより、上記第１色分離素子を構成できるので、容易に第１色分離素子を製造できる。
【００１５】
上記一態様では、前記色分離装置は、前記第１色分離素子と、前記第１色分離素子により分離された光のうち、第２波長範囲内の光を透過させ、当該第２波長範囲外の光を反射させる第２色分離素子と、を備えることが好ましい。
上記第１態様では、第２色分離素子は、第１色分離素子より光源から遠い位置に配置される。このため、重畳素子（例えば、一対のレンズと重畳レンズの組み合わせ等）が設けられ、光変調装置において、複数の光源から出射された光が重ね合わせられる構成である場合に、光源から遠い位置に配置される第２色分離素子において複数の光源のそれぞれから出射された光の入射領域が重なる範囲は、光源に近い位置に配置される第１色分離素子において上記それぞれの入射領域が重なる範囲より大きくなる。このため、第２色分離素子に上記第１色分離素子と同様に、複数の光源のそれぞれから出射された光が個別に入射される複数の入射領域に応じて異なる膜特性を有する多層膜を形成することは難しい。
これに対し、上記第１態様では、第２色分離素子より光源に近い位置に配置され、それぞれの入射領域が重なる範囲の小さい第１色分離素子が、上記複数の光源のそれぞれから出射された光が個別に入射される複数の入射領域に応じて膜特性が異なる多層膜を備えているので、色分離装置により上記光を適切に色分離できる。従って、適切に色分離された光が光変調装置に入射されて、投射光学装置から投射されるので、より輝度の高い画像を投射できる。
【図面の簡単な説明】
【００１６】
【図１】本発明の第１実施形態に係るプロジェクターを示す概略斜視図。
【図２】上記第１実施形態に係るプロジェクターの内部構成を示す模式図。
【図３】上記第１実施形態に係る照明装置の構成を示す模式図。
【図４】上記第１実施形態に係る照明光軸に直交する面内における照明装置から出射された光の通過位置を見た図。
【図５】上記第１実施形態に係る第１ダイクロイックミラー及び当該第１ダイクロイックミラーに入射される光の光路を示す模式図。
【図６】本発明の第２実施形態に係るプロジェクターの第１ダイクロイックミラー及び当該第１ダイクロイックミラーに入射される光の光路を示す模式図。
【図７】本発明の第３実施形態に係るプロジェクターの第１ダイクロイックミラーを光の入射方向側から見た図。
【図８】上記第３実施形態に係る第１ダイクロイックミラー及び当該第１ダイクロイックミラーに入射される光の光路を示す模式図。
【発明を実施するための形態】
【００１７】
［第１実施形態］
以下、本発明の第１実施形態について、図面に基づいて説明する。
［プロジェクターの外観構成］
図１は、本実施形態に係るプロジェクター１を示す概略斜視図である。
本実施形態に係るプロジェクター１は、外装筐体２を備え、後述する照明装置３１から出射される光を変調して画像情報に応じた画像を形成し、当該画像をスクリーン等の被投射面上に拡大投射する投射型表示装置である。
【００１８】
［外装筐体の構成］
外装筐体２は、天面部２１、底面部２２、正面部２３、背面部２４、左側面部２５及び右側面部２６を有する略直方体形状に形成されている。
【００１９】
［プロジェクターの内部構成］
図２は、プロジェクター１の内部構成を示す模式図である。
プロジェクター１は、上記外装筐体２の他、図２に示すように、当該外装筐体２内に配置される画像形成装置３を備える。この他、図示を省略するが、プロジェクター１は、当該プロジェクター１の構成部品を冷却する冷却装置、当該プロジェクター１全体の動作を制御する制御装置、及び、当該プロジェクター１を構成する電子部品に電力を供給する電源装置を備える。
【００２０】
［画像形成装置の構成］
画像形成装置３は、上記制御装置から入力される画像情報に応じた画像を形成及び投射する。この画像形成装置３は、照明装置３１、均一化装置３２、色分離装置３３、電気光学装置３４、投射光学装置３５、ベース部材３６及び光学部品用筐体３７を備える。
これらのうち、光学部品用筐体３７に接続されるベース部材３６は、照明装置３１を収納固定する機能を有する。
また、光学部品用筐体３７は、内部に照明光軸Ａｘが設定された箱状筐体であり、均一化装置３２及び色分離装置３３は、光学部品用筐体３７内における照明光軸Ａｘ上の位置に配置される。また、照明装置３１、電気光学装置３４及び投射光学装置３５は、光学部品用筐体３７外に位置するものの当該照明光軸Ａｘに応じて配置される。
この照明装置３１は、均一化装置３２に平行光を出射する。この照明装置３１の構成については、後に詳述する。
【００２１】
均一化装置３２は、照明装置３１から出射された光束の中心軸に対する直交面内の照度を均一化する。この均一化装置３２は、調光装置３２１、第１レンズアレイ３２２、ＵＶフィルター３２３、第２レンズアレイ３２４及び偏光変換素子３２５を有する。上記照明装置３１から出射された光は、これらを介して色分離装置３３に入射される。
色分離装置３３は、均一化装置３２から入射される光束を、赤（Ｒ）、緑（Ｇ）及び青（Ｂ）の３つの色光に分離する。この色分離装置３３は、第１ダイクロイックミラー（以下、第１ミラーと略す場合がある）６、第２ダイクロイックミラー（以下、第２ミラーと略す場合がある）７、反射ミラー３３１〜３３４及びリレーレンズ３３５〜３３８を有する。なお、第１ミラー６及び第２ミラー７の構成については、後に詳述する。
【００２２】
電気光学装置３４は、分離された各色光を画像情報に応じて変調した後、変調された各色光を合成する。この電気光学装置３４は、それぞれ色光毎に設けられる光変調装置としての液晶パネル３４１（赤、緑及び青用の液晶パネルを、それぞれ３４１Ｒ，３４１Ｇ，３４１Ｂとする）、入射側偏光板３４２及び出射側偏光板３４３と、１つの色合成装置３４４と、を有する。これらのうち、色合成装置３４４としては、ダイクロイックプリズムを採用できる。
投射光学装置３５は、色合成装置３４４により合成された光束（画像を形成する光束）を上記被投射面上に拡大投射する投射レンズである。このような投射光学装置３５としては、鏡筒内に複数のレンズが配置された組レンズを採用できる。
【００２３】
［照明装置の構成］
照明装置３１は、図２に示すように、２つの光源装置４１Ａ，４１Ｃを有する第１ランプユニット４Ａと、２つの光源装置４１Ｂ，４１Ｄを有する第２ランプユニット４Ｂと、を備える。この他、照明装置３１は、各光源装置４１Ａ〜４１Ｄから出射された光を同方向に反射させて、これら光を当該一方向に揃えて出射する反射装置５を備える。
なお、光源装置４１Ａ〜４１Ｄは、それぞれ、本発明の光源に相当する。
【００２４】
［光源装置の配置］
図３は、光源装置４１Ａ〜４１Ｄの配置を示す模式図である。
上記光源装置４１Ａ〜４１Ｄのそれぞれは、図３に示すように、発光管４１１、リフレクター４１２及び収納体４１３を備える。また、光源装置４１Ａ〜４１Ｄのうち、本発明の第１光源に相当する光源装置４１Ａ，４１Ｃと、本発明の第２光源に相当する光源装置４１Ｂ，４１Ｄとは、反射装置５を挟んで互いに反対側に配置される。そして、これら光源装置４１Ａ〜４１Ｄは、それぞれ、当該反射装置５に向けて光を出射する。
なお、以下の説明では、照明装置３１による光の出射方向をＺ方向とし、当該Ｚ方向にそれぞれ直交し、かつ、互いに直交する方向をＸ方向及びＹ方向とする。本実施形態では、Ｚ方向は、背面部２４から正面部２３に向かう方向であることから、Ｘ方向を左側面部２５から右側面部２６に向かう方向とし、Ｙ方向を底面部２２から天面部２１に向かう方向として説明する。
【００２５】
光源装置４１の配置について詳述すると、光源装置４１Ａ，４１Ｃは、反射装置５に対してＸ方向側に、当該Ｘ方向に沿って並列に配置され、光源装置４１Ｂ，４１Ｄは、反射装置５に対してＸ方向とは反対側に、当該Ｘ方向に沿って並列に配置されている。すなわち、反射装置５に対してＸ方向側に位置する光源装置４１Ａ，４１Ｃのうち、光源装置４１Ａは、Ｚ方向とは反対側に位置し、光源装置４１Ｃは、Ｚ方向側に位置する。そして、これら光源装置４１Ａ，４１Ｃは、それぞれ、光の出射方向がＸ方向とは反対方向に沿うように配置される。一方、反射装置５に対してＸ方向とは反対側に位置する光源装置４１Ｂ，４１Ｄのうち、光源装置４１Ｂは、Ｚ方向側に位置し、光源装置４１Ｄは、Ｚ方向とは反対方向側に位置する。これら光源装置４１Ｂ，４１Ｄは、それぞれ、光の出射方向がＸ方向に沿うように配置される。
これにより、光源装置４１Ａ及び光源装置４１Ｃから出射された出射光Ｌ１，Ｌ３は、Ｘ方向とは反対方向に向けて出射されて反射装置５に入射され、光源装置４１Ｂ及び光源装置４１Ｄから出射された出射光Ｌ２，Ｌ４は、Ｘ方向に向けて出射されて反射装置５に入射される。
【００２６】
［反射装置の構成］
反射装置５は、上記のように、各光源装置４１Ａ〜４１Ｄから入射される出射光Ｌ１〜Ｌ４をＺ方向に揃えて出射し、当該光を上記均一化装置３２に入射させる。この反射装置５は、各光源装置４１Ａ〜４１Ｄに応じて設けられる反射ミラー５７（５７Ａ〜５７Ｄ）と、第１レンズ５８及び第２レンズ５９と、を有する。
【００２７】
反射ミラー５７Ａ〜５７Ｄは、入射された光をＺ方向に反射させる機能を有する。このため、反射ミラー５７Ａ〜５７Ｄは、それぞれ対応する光源装置４１Ａ〜４１Ｄに対向する位置に配置される。そして、反射ミラー５７Ａには、光源装置４１Ａの出射光Ｌ１が入射され、反射ミラー５７Ｂには、光源装置４１Ｂの出射光Ｌ２が入射される。また、反射ミラー５７Ｃには、光源装置４１Ｃの出射光Ｌ３が入射され、反射ミラー５７Ｄには、光源装置４１Ｄの出射光Ｌ４が入射される。
【００２８】
第１レンズ５８は、反射ミラー５７Ａ，５７Ｄと反射ミラー５７Ｂ，５７Ｃとの間に配置され、第２レンズ５９は、反射ミラー５７Ｂ，５７ＣのＺ方向側に配置される。
第１レンズ５８は、基板５８１と、小レンズ５８２Ａ，５８２Ｄと、を備える。これら小レンズ５８２Ａ，５８２Ｄは、所定の曲率で突出する形状を有し、入射された光を平行化する機能を有する。これら小レンズ５８２Ａ，５８２Ｄは、上記反射ミラー５７Ａ，５７Ｄによって反射された上記出射光Ｌ１，Ｌ４が入射される位置に配置される。
第２レンズ５９は、基板５９１と、小レンズ５９２Ｂ，５９２Ｃを備える。これら小レンズ５９２Ｂ，５９２Ｃは、上記所定の曲率と異なる曲率で突出する形状を有し、入射された光を平行化する機能を有する。この小レンズ５９２Ｂ，５９２Ｃは、反射ミラー５７Ｂ，５７Ｃによって反射された上記出射光Ｌ２，Ｌ３が入射される対向する位置に配置される。換言すると、基板５９１における上記出射光Ｌ１，Ｌ４の入射位置には、小レンズ５９２Ｂ，５９２Ｃと同様のレンズは配置されていない。
【００２９】
［光源装置から出射された光の光路］
光源装置４１Ａの出射光Ｌ１は、反射ミラー５７Ａの近傍で集光された後、当該反射ミラー５７Ａにより反射されて広がった光となって小レンズ５８２Ａに入射され、当該小レンズ５８２Ａにより平行化されて基板５８１から出射される。また、光源装置４１Ｄの出射光Ｌ４は、反射ミラー５７Ｄの近傍で集光された後、当該反射ミラー５７Ｄにより反射されて広がった光となって小レンズ５８２Ｄに入射され、当該小レンズ５８２Ｄにより平行化されて基板５８１から出射される。
これら出射光Ｌ１，Ｌ４は、第２レンズ５９の基板５９１を通過して、反射装置５、ひいては、照明装置３１外に出射される。
【００３０】
光源装置４１Ｃの出射光Ｌ３は、反射ミラー５７Ｃの近傍で集光された後、当該反射ミラー５７Ｃにより反射されて若干広がった光となって小レンズ５９２Ｃに入射され、当該小レンズ５９２Ｃにより平行化されて基板５９１から出射される。また、光源装置４１Ｂの出射光Ｌ２は、反射ミラー５７Ｂの近傍で集光された後、当該反射ミラー５７Ｂにより反射されて若干広がった光となって小レンズ５９２Ｂに入射され、当該小レンズ５９２Ｂにより平行化されて基板５９１から出射される。
これら出射光Ｌ２，Ｌ３は、基板５９１から出射され、反射装置５、ひいては、照明装置３１外に出射される。
【００３１】
図４は、照明光軸に直交する面内における照明装置から出射された光の通過位置を示す図である。
照明装置３１から出射される上記出射光Ｌ１〜Ｌ４は、図４に示すように、各出射光Ｌ１〜Ｌ４の中心軸Ｐ１〜Ｐ４を中心として第２レンズ５９の異なる領域から出射される。すなわち、照明装置３１からは、光源装置４１Ａ〜４１Ｄの出射光Ｌ１〜Ｌ４は、それぞれ異なる光路を通って均一化装置３２に向けて出射される。そして、上記のように、均一化装置３２を介した各出射光Ｌ１〜Ｌ４は、色分離装置３３に入射される。
【００３２】
［ダイクロイックミラーの構成］
色分離装置３３は、上記のように、第１ダイクロイックミラー６及び第２ダイクロイックミラー７を備える。これら第１ミラー６及び第２ミラー７は、所定の閾値波長より長い波長の光を透過又は反射させ、当該閾値波長以下の波長の光を反射又は透過させる特性を有する。具体的に、第１ミラー６は、均一化装置３２から入射された光束のうち、赤色光を反射させ、緑色光及び青色光を透過させる。また、第２ミラー７は、第１ミラー６により分離された緑色光及び青色光のうち、緑色光を反射させ、青色光を透過させる。これにより、均一化装置３２から入射された光束は、赤色光、緑色光及び青色光に分離され、反射ミラー３３１〜３３４及びリレーレンズ３３５〜３３８を介して液晶パネル３４１Ｒ，３４１Ｇ，３４１Ｂにそれぞれ入射される。
【００３３】
ここで、均一化装置３２を介して第１ミラー６に入射される光は、当該均一化装置３２により若干集光された状態で入射される。
以下に、第１ミラー６の構成と、当該第１ミラー６に入射される上記出射光Ｌ１〜Ｌ４の光路について詳しく説明する。
【００３４】
［第１ダイクロイックミラーの構成］
図５は、第１ダイクロイックミラー６をＹ方向側から見た図である。なお、図５では、第１ミラー６に入射される上記出射光Ｌ１〜Ｌ４の中心軸Ｐ１〜Ｐ４を一点鎖線で示している。
第１ミラー６は、本発明の第１色分離素子に相当し、図２に示したように、上記照明光軸Ａｘに対して略４５°傾斜した状態で配置される。この第１ミラー６は、図５に示すように、透明基板６１及び多層膜６２を有する。
透明基板６１は、矩形板状に形成された透光性基板である。
多層膜６２は、当該透明基板６１においてＺ方向とは反対側の面６１１に設けられ、第１ミラー６の上記特性を有する誘電体多層膜である。具体的に、多層膜６２は、上述したように、赤色光を反射させ、緑色光及び青色光を透過させる機能を有する。
また、第１ミラー６には、各光源装置４１Ａ〜４１Ｄの各出射光Ｌ１〜Ｌ４のそれぞれが入射される複数の入射領域が設定されている。具体的に、第１ミラー６には、Ｘ方向側に位置し、出射光Ｌ１，Ｌ３が入射される第１入射領域Ａ１と、Ｘ方向とは反対側に位置し、出射光Ｌ２，Ｌ４が入射される第２入射領域Ａ２が設定されている。
【００３５】
［第１ダイクロイックミラーの入射角依存性に対する対応］
ここで、所定の閾値波長より長い波長の光を透過又は反射させ、当該閾値波長以下の波長の光を反射又は透過させる誘電体多層膜は、入射角依存性を有し、当該誘電体多層膜への光の入射角が大きい場合と、小さい場合とで、上記閾値波長が変化する。このため、当該誘電体多層膜により反射された光の波長は、入射角が大きい場合と小さい場合とで異なり、同様に、当該誘電体多層膜を透過した光の波長は、入射角が大きい場合と小さい場合とで異なってしまう。このような問題は、当該誘電体多層膜内を通過する際の光路長によるものと考えられる。
このような問題は、第１ミラー６に対する入射角が比較的大きい出射光Ｌ１，Ｌ３、及び、第１ミラー６に対する入射角が比較的小さい出射光Ｌ２，Ｌ４がそれぞれ入射される上記多層膜６２においても生じうる。
【００３６】
これに対し、本実施形態では、入射角が比較的大きい出射光Ｌ１，Ｌ３が入射される第１入射領域Ａ１に対応する第１多層膜６２１の膜特性と、入射角が比較的小さい出射光Ｌ２，Ｌ４が入射される第２入射領域Ａ２に対応する第２多層膜６２２の膜特性と、を、異ならせている。
具体的に、第１入射領域Ａ１における第１多層膜６２１の厚さ寸法は、第２入射領域Ａ２における第２多層膜６２２の厚さ寸法より小さい。すなわち、第１入射領域Ａ１における第１多層膜６２１及び第２入射領域Ａ２における第２多層膜６２２の厚さ寸法（膜厚）が異なる点で、第１多層膜６２１及び第２多層膜６２２の膜特性（分光特性）は異なる。
【００３７】
［第１ダイクロイックミラーに入射される光の光路］
多層膜６２の第１多層膜６２１に入射される出射光Ｌ１，Ｌ３の入射角は、図５に示すように、第２多層膜６２２に入射される出射光Ｌ２，Ｌ４の入射角より大きい。このように、出射光Ｌ１，Ｌ３の入射角が出射光Ｌ２，Ｌ４の入射角より大きいので、例えば、多層膜６２が厚さ寸法の異なる第１多層膜及び第２多層膜を有していない場合、当該出射光Ｌ１，Ｌ３の当該多層膜を通過する光路長は、出射光Ｌ２，Ｌ４の多層膜を通過する光路長より大きくなる。すなわち、多層膜を通過する光路長が異なることにより、多層膜による出射光Ｌ１，Ｌ３の分光特性と、当該多層膜による出射光Ｌ２，Ｌ４の分光特性が異なる。
【００３８】
これに対し、本実施形態では、上記出射光Ｌ１〜Ｌ４のうち、多層膜に入射する入射角が大きい第１入射領域Ａ１に対応する第１多層膜６２１の厚さ寸法は、上記入射角が小さい第２入射領域Ａ２に対応する第２多層膜６２２の厚さ寸法より小さいので、第１多層膜６２１を通過する出射光Ｌ１，Ｌ３の光路長Ｓ１と、第２多層膜６２２を通過する出射光Ｌ２，Ｌ４の光路長Ｓ２とは、略等しくなる。このように、第１多層膜６２１及び第２多層膜６２２を通過する上記光路長Ｓ１，Ｓ２が略等しいので、当該第１多層膜６２１及び第２多層膜６２２の分光特性が略同一となる。
これにより、出射光Ｌ１〜Ｌ４のそれぞれは、第１ミラー６の多層膜６２により、適切に分離される。具体的に、赤色光がＸ方向とは反対方向側に反射され、緑色光及び青色光が当該多層膜６２を介して、透明基板６１のＺ方向側の面６１２から出射される。
【００３９】
以上説明した本実施形態に係るプロジェクター１は、以下の効果を奏する。
複数の光源装置４１Ａ〜４１Ｄから出射された出射光Ｌ１〜Ｌ４のそれぞれは、異なる光路を経由して第１ダイクロイックミラー６に入射される光に応じて設定される第１入射領域Ａ１及び第２入射領域Ａ２に入射される。この入射領域Ａ１，Ａ２に応じて設けられた多層膜６２（第１多層膜６２１及び第２多層膜６２２）の膜特性が、複数の光源装置４１Ａ〜４１Ｄのそれぞれから出射された出射光Ｌ１〜Ｌ４の入射角度に応じて異なるので、、第１ダイクロイックミラー６において複数の光源装置４１Ａ〜４１Ｄのそれぞれから出射された出射光Ｌ１〜Ｌ４の分光特性を略同一にできる。従って、適切に分離された色光を用いて画像を形成及び投射できる。
【００４０】
ここで、多層膜６２の入射角依存性は、光の入射角度が異なることにより当該多層膜６２を通過する光路長に起因するものである。
本実施形態では、光源装置４１Ａ，４１Ｃから出射され、第１多層膜６２１を透過する光の光路長Ｓ１と、光源装置４１Ｂ，４１Ｄから出射され、第２多層膜６２２を透過する光の光路長Ｓ２とが略同一になるように第１多層膜６２１及び第２多層膜６２２の厚さ寸法が設定されているので、第１多層膜６２１及び第２多層膜６２２に入射される上記各出射光Ｌ１〜Ｌ４の分光特性を略同一にできる。従って、適切に分離された色光を用いて画像を形成及び投射できる。
【００４１】
ここで、光源装置４１Ａ，４１Ｃから出射された出射光Ｌ１,Ｌ３の多層膜６２への入射角と光源装置４１Ｂ，４１Ｄから出射された出射光Ｌ２，Ｌ４の多層膜６２への入射角は異なる。例えば、光源装置４１Ａ，４１Ｃから出射された出射光Ｌ１，Ｌ３の上記入射角が光源装置４１Ｂ，４１Ｄから出射された出射光Ｌ２，Ｌ４の上記入射角より大きい場合、上記多層膜の第１入射領域Ａ１及び第２入射領域Ａ２のそれぞれに対応する多層膜の厚さ寸法が同一であると、第１多層膜を透過する光路長は、第２多層膜を透過する光路長より大きくなる。これにより、第１多層膜及び第２多層膜のそれぞれの分光特性が異なることとなり、上記画像の色ずれを生じる可能性が高い。
これに対し、本実施形態によれば、光源装置４１Ａ，４１Ｃ及び光源装置４１Ｂ，４１Ｄのそれぞれから出射された出射光のうち、入射角が大きい第１入射領域Ａ１に対応する第１多層膜６２１の厚さ寸法が第２入射領域Ａ２に対応する第２多層膜６２２の厚さ寸法より小さいので、第１多層膜６２１及び第２多層膜６２２を透過する各出射光Ｌ１〜Ｌ４の光路長Ｓ１，Ｓ２の差を小さく抑えることができる。従って、第１多層膜６２１及び第２多層膜６２２に入射される出射光Ｌ１〜Ｌ４の分光特性を略同一にできるので、適切に分離された色光を用いて画像を形成及び投射できる。
【００４２】
第２ダイクロイックミラー７は、第１ダイクロイックミラー６より光源装置４１Ａ〜４１Ｄから遠い位置に配置される。このため、重畳素子が設けられ、液晶パネル３４１において、複数の光源装置４１Ａ〜４１Ｄから出射された光が重ね合わせられる構成である場合、光源装置４１Ａ〜４１Ｄから遠い位置に配置される第２ダイクロイックミラー７において複数の光源装置４１Ａ〜４１Ｄから出射された出射光Ｌ１〜Ｌ４のそれぞれの入射領域が重なる範囲は、光源装置４１Ａ〜４１Ｄに近い位置に配置される第１ダイクロイックミラー６において上記それぞれの入射領域が重なる範囲より大きくなる。このため、第２ダイクロイックミラー７に上記第１ダイクロイックミラー６と同様に、複数の光源装置４１Ａ〜４１Ｄのそれぞれから出射された出射光Ｌ１〜Ｌ４が個別に入射される複数の入射領域に応じて異なる膜特性を有する多層膜を形成することは難しい。
これに対し、本実施形態では、第２ダイクロイックミラーより光源装置４１Ａ〜４１Ｄに近い位置に配置され、それぞれの入射領域が重なる範囲の小さい第１ダイクロイックミラー６が、上記複数の光源装置４１Ａ〜４１Ｄのそれぞれから出射された出射光が個別に入射される第１入射領域Ａ１及び第２入射領域Ａ２に応じて膜特性が異なる多層膜６２１，６２２を備えているので、色分離装置３３により上記出射光Ｌ１〜Ｌ４を適切に色分離できる。従って。適切に色分離された光が光変調装置としての液晶パネル３４１に入射され、投射光学装置３５から投射されるので、より輝度の高い画像を投射できる。
【００４３】
［第２実施形態］
次に、本発明の第２実施形態について説明する。
本実施形態に係るプロジェクターは、上記プロジェクター１と同様の構成を備えるが、第１ダイクロイックミラーの構成、具体的には、多層膜６２とは形状の異なる多層膜を有する点において、上記プロジェクター１と相違する。なお、以下の説明では、既に説明した部分と同一又は略同一である部分については、同一の符号を付して説明を省略する。
【００４４】
図６は、本実施形態に係るプロジェクターが有する第１ダイクロイックミラー６ＡをＹ方向側から見た図である。なお、図６では、第１ミラー６Ａに入射される上記出射光Ｌ１〜Ｌ４の中心軸Ｐ１〜Ｐ４を一点鎖線で示している。
第１ミラー６Ａは、本発明の第１色分離素子に相当し、図６に示すように、透明基板６１及び多層膜６３を有する。多層膜６３は、当該透明基板６１においてＺ方向とは反対方向側の面６１１に設けられ、第１ミラー６Ａの上記特性を有する誘電体多層膜である。この多層膜６３は、上記多層膜６２と同様に、赤色光を反射させ、緑色光及び青色光を透過させる機能を有する。
また、第１ミラー６Ａには、各光源装置４１Ａ〜４１Ｄの各出射光Ｌ１〜Ｌ４のそれぞれが入射される複数の入射領域が設定されている。具体的に、第１ミラー６には、Ｘ方向側に位置し、出射光Ｌ１，Ｌ３が入射される第１入射領域Ａ１と、Ｘ方向とは反対側に位置し、出射光Ｌ２，Ｌ４が入射される第２入射領域Ａ２が設定されている。
【００４５】
多層膜６３は、図６に示すように、第１入射領域Ａ１に対応する第１多層膜６３１と、第２入射領域Ａ２に対応する第２多層膜６３２と、を備えて構成されている。
第１多層膜６３１は、透明基板６１における面６１１のＸ方向側に形成される。このため、第１多層膜６３１には、光源装置４１Ａ，４１Ｃから出射された出射光Ｌ１，Ｌ３が入射される。
第２多層膜６３２は、当該透明基板６１におけるＺ方向とは反対方向側の面６１１のＸ方向とは反対方向側に形成される。このため、第２多層膜６３２には、光源装置４１Ｂ，４１Ｄから出射された出射光Ｌ２，Ｌ４が入射される。
【００４６】
第１入射領域Ａ１における第１多層膜６３１の厚さ寸法は、図６に示すように、出射光Ｌ１，Ｌ４の進行方向（Ｚ方向）に向かうに従って連続して大きくなっている。具体的に、第１多層膜６３１の厚さ寸法は、当該第１多層膜６３１のＸ方向側の端部が最も薄く、Ｘ方向とは反対方向側の端部が最も厚く、上記Ｘ方向側の端部から上記Ｘ方向とは反対方向側の端部まで連続して厚さ寸法が大きくなるように形成されている。
同様に、第２多層膜６３２の厚さ寸法は、図６に示すように、出射光Ｌ２，Ｌ３の進行方向（Ｚ方向）に向かうに従って連続して大きくなっている。具体的に、第２多層膜６３２の厚さ寸法は、当該第２多層膜６３２のＸ方向側の端部が最も薄く、Ｘ方向とは反対方向側の端部が最も厚く、上記Ｘ方向側の端部から上記Ｘ方向とは反対方向側の端部まで連続して厚さ寸法が大きくなるように形成されている。
また、第１多層膜６３１の厚さ寸法は、第２多層膜６３２の厚さ寸法より小さい。具体的に、第１多層膜６３１を構成する誘電体多層膜の膜厚は、第２多層膜６３２を構成する誘電体多層膜の膜厚より小さい。すなわち、第１多層膜６３１及び第２多層膜６３２の厚さ寸法（膜厚）が異なる点で、第１入射領域Ａ１及び第２入射領域Ａ２のそれぞれに対応する多層膜６３の膜特性（分光特性）は異なる。
【００４７】
本実施形態では、上記出射光Ｌ１〜Ｌ４のうち、多層膜に入射する入射角が大きい第１入射領域Ａ１に対応する第１多層膜６３１の厚さ寸法は、上記入射角が小さい第２入射領域Ａ２に対応する第２多層膜６３２の厚さ寸法より小さいので、第１多層膜６３１を通過する出射光Ｌ１，Ｌ３の中心軸Ｐ１，Ｐ３を通過する光の光路長Ｓ３と、第２多層膜６３２を通過する出射光Ｌ２，Ｌ４の中心軸Ｐ２，Ｐ４を通過する光の光路長Ｓ３とは、略等しくなる。このように、第１多層膜６３１及び第２多層膜６３２を通過する上記光路長Ｓ３，Ｓ４が略等しいので、当該第１多層膜６３１及び第２多層膜６３２の分光特性が略同一となる。更に、第１多層膜６３１及び第２多層膜６３２が出射光Ｌ１〜Ｌ４の進行方向側に向かうに従って連続して大きくなっているので、中心軸Ｐ１〜Ｐ４のみならず、当該中心軸Ｐ１〜Ｐ４以外の光路を通って入射される出射光Ｌ１〜Ｌ４の略全領域においても、上記光路長が等しくなるので、当該第１多層膜６３１及び第２多層膜６３２の分光特性が略同一となる。
これにより、出射光Ｌ１〜Ｌ４のそれぞれは、第１ミラー６Ａの多層膜６３により、適切に分離される。具体的に、赤色光がＸ方向とは反対方向側に反射され、緑色光及び青色光が当該多層膜６３を介して、透明基板６１のＺ方向側の面６１２から出射される。
【００４８】
以上説明した本実施形態に係るプロジェクターは、上記プロジェクター１と同様の効果を奏する他、以下の効果を奏する。
ここで、光源装置４１Ａ，４１Ｃ及び光源装置４１Ｂ，４１Ｄから出射された出射光Ｌ１〜Ｌ４のそれぞれは、当該出射光Ｌ１〜Ｌ４の中心軸Ｐ１〜Ｐ４を中心とした所定の幅を持つ光束である。このため、光源装置４１Ａ，４１Ｃから出射された出射光Ｌ１，Ｌ３のうち、上記中心軸Ｐ１，Ｐ３を通る光の第１多層膜６３１を透過する光路長Ｓ３と、光源装置４１Ｂ，４１Ｄから出射された出射光Ｌ２，Ｌ４のうち、上記中心軸Ｐ２，Ｐ４を通る出射光の第２多層膜６３２を通過する光路長とが、略同一に設定されたとしても、当該光源装置４１Ａ，４１Ｃから出射された光のうち、上記中心軸Ｐ１，Ｐ３以外を透過する光の上記光路長と、光源装置４１Ｂ，４１Ｄから出射された光のうち、上記中心軸Ｐ２，Ｐ４以外を通過する光の光路長と、が略同一とならない可能性がある。
【００４９】
これに対し、本実施形態によれば、第１多層膜６３１及び第２多層膜６３２が出射光Ｌ１〜Ｌ４の進行方向側に向かうに従って連続して大きくなっているので、第１多層膜６３１及び第２多層膜６３２を通過する光源装置４１Ａ，４１Ｃ及び光源装置４１Ｂ，４１Ｄから出射された各光の中心軸Ｐ１〜Ｐ４の光路長Ｓ３，Ｓ４のみならず、入射領域内の位置によらずに、当該中心軸Ｐ１〜Ｐ４以外を通過する光の光路長を略同一とできる。これによれば、光源装置４１Ａ〜４１Ｄのそれぞれから出射され、第１多層膜６３１及び第２多層膜６３２の全領域の分光特性をより同一に近付けることができる。
【００５０】
［第３実施形態］
次に、本発明の第３実施形態について説明する。
本実施形態に係るプロジェクターは、上記プロジェクター１と同様の構成を備えるが、第１ダイクロイックミラーの構成、具体的には、透明基板６１及び多層膜６２とは異なる透明基板及び多層膜を有する点において、上記プロジェクター１と相違する。なお、以下の説明では、既に説明した部分と同一又は略同一である部分については、同一の符号を付して説明を省略する。
【００５１】
図７は、本実施形態に係る第１ダイクロイックミラー６ＢをＺ方向とは反対方向側から見た図である。
第１ダイクロイックミラー６Ｂは、図７に示すように、矩形板状の透明基板６１Ａ〜６１Ｄと、当該透明基板６１Ａ〜６１Ｄのそれぞれに蒸着された多層膜６４Ａ〜６４Ｄと、により構成される。また、透明基板６１Ａ〜６１Ｄには、光源装置４１Ａ〜４１Ｄのそれぞれから出射された出射光Ｌ１〜Ｌ４がそれぞれ入射される。具体的に、透明基板６１Ａは、光源装置４１Ａから出射された出射光Ｌ１が入射される第１入射領域Ｅ１を有する。また、透明基板６１Ｂは、光源装置４１Ｂから出射された出射光Ｌ２が入射される第２入射領域Ｅ２を有する。更に、透明基板６１Ｃは、光源装置４１Ｃから出射された出射光Ｌ３が入射される第３入射領域Ｅ３を有する。加えて、透明基板６１Ｄは、光源装置４１Ｄから出射された出射光Ｌ４が入射される第４入射領域Ｅ４を有する。
このため、多層膜６４Ａ〜６４Ｄは、上記第１〜第４入射領域Ｅ１〜Ｅ４のそれぞれに入射される出射光Ｌ１〜Ｌ４ごとに膜特性が異なるように形成される。すなわち、本実施形態の第１ダイクロイックミラー６Ｂ（以下、第１ミラー６Ｂという場合がある。）は、上記多層膜６４Ａ〜６４Ｄが設けられた複数の透明基板６１Ａ〜６１Ｄが一体化されることにより構成されている。
【００５２】
図８は、第１ダイクロイックミラー６ＢをＹ方向側から見た図である。なお、図８では第１ミラー６Ｂに入射される上記出射光Ｌ１〜Ｌ４の中心軸Ｐ１〜Ｐ４を一点鎖線で示している。
第１ダイクロイックミラー６Ｂを構成する透明基板６１Ａ〜６１Ｄは、図７及び図８に示すように、それぞれ同形状に形成される。また、多層膜６４Ａ〜６４Ｄのうち、第１入射領域Ｅ１及び第３入射領域Ｅ３に対応する多層膜６４Ａ，６４Ｃは、それぞれ同形状に形成される。これら多層膜６４Ａ，６４Ｃには、上述したように出射光Ｌ１，Ｌ３がそれぞれ入射される。同様に、多層膜６４Ｂ，６４Ｄは、それぞれ同形状に形成される。これら多層膜６４Ｂ，６４Ｄには、上述したように出射光Ｌ２，Ｌ４がそれぞれ入射される。
また、第１入射領域Ｅ１及び第３入射領域Ｅ３に対応する多層膜６４Ａ，６４Ｃの厚さ寸法は、第２入射領域Ｅ２及び第４入射領域Ｅ４に対応する多層膜６４Ｂ，６４Ｄの厚さ寸法より小さい。具体的に、多層膜６４Ａ，６４Ｃの膜厚は、多層膜６４Ｂ，６４Ｄの膜厚より小さい。すなわち、多層膜６４Ａ，６４Ｃ及び多層膜６４Ｂ，６４Ｄのそれぞれの厚さ寸法（膜厚）が異なる点で、第１多層膜６４Ａ及び第３多層膜６４Ｃの膜特性と、第２多層膜６４Ｂ及び第４多層膜６４Ｄの膜特性（分光特性）は異なる。
【００５３】
［第１ダイクロイックミラーに入射される光の光路］
多層膜６４Ａ，６４Ｃに入射される出射光Ｌ１，Ｌ３の入射角は、図８に示すように、多層膜６４Ｂ，６４Ｄに入射される出射光Ｌ２，Ｌ４の入射角より大きい。このように、出射光Ｌ１，Ｌ３の入射角が出射光Ｌ２，Ｌ４の入射角より大きいので、例えば、各多層膜６４Ａ〜６４Ｄのそれぞれが同一の厚さ寸法である場合、当該出射光Ｌ１，Ｌ３の当該多層膜を通過する光路長は、出射光Ｌ２，Ｌ４の多層膜を通過する光路長より大きくなる。すなわち、多層膜を通過する光路長が異なることにより、多層膜による出射光Ｌ１，Ｌ３の分光特性と、当該多層膜による出射光Ｌ２，Ｌ４の分光特性が異なる。
【００５４】
これに対し、本実施形態では、上記出射光Ｌ１〜Ｌ４のうち、多層膜に入射する入射角が大きい入射領域（第１入射領域Ｅ１及び第３入射領域Ｅ３）に対応する多層膜６４Ａ及び多層膜６４Ｃの厚さ寸法は、上記入射角が小さい入射領域（第２入射領域Ｅ２及び第４入射領域Ｅ４）に対応する多層膜６４Ｂ及び多層膜６４Ｄの厚さ寸法より小さいので、多層膜６４Ａ及び多層膜６４Ｃを通過する出射光Ｌ１，Ｌ３の光路長Ｓ１と、多層膜６４Ｂ及び多層膜６４Ｄを通過する出射光Ｌ２，Ｌ４の光路長Ｓ２とは、略等しくなる。このように、全ての多層膜６４Ａ〜６４Ｄを通過する上記光路長Ｓ５，Ｓ６が略等しいので、全ての多層膜６４Ａ〜６４Ｄの分光特性が略同一となる。
これにより、出射光Ｌ１〜Ｌ４のそれぞれは、第１ミラー６Ｂの多層膜６４Ａ〜６４Ｄにより、適切に分離される。具体的に、赤色光がＸ方向とは反対方向側に反射され、緑色光及び青色光が当該多層膜６４Ａ〜６４Ｄを介して、透明基板６１Ａ〜６１ＤのＺ方向側の面から出射される。
【００５５】
以上説明した本実施形態に係るプロジェクターは、上記プロジェクター１と同様の効果を奏する他、以下の効果を奏する。
ここで、第１及び第２実施形態に係る第１ダイクロイックミラー６，６Ａは、透明基板６１上に上記多層膜６２，６３を蒸着することにより構成される。このため、１枚の透明基板６１上に、異なる膜特性を有する多層膜６２，６３を蒸着により形成することは、第１ダイクロイックミラー６，６Ａの製造工程を複雑化する。
これに対し、本実施形態では、光源装置４１Ａ〜４１Ｄごとに膜特性が異なる多層膜６４Ａ〜６４Ｄが形成された複数の透明基板６１Ａ〜６１Ｄを一体化することにより、第１ダイクロイックミラー６Ｂを構成できるので、容易に第１ダイクロイックミラー６Ｂを製造できる。
【００５６】
［実施形態の変形］
本発明は、上記各実施形態に限定されるものではなく、本発明の目的を達成できる範囲での変形、改良等は本発明に含まれるものである。
上記第１及び第２実施形態では、第１入射領域Ａ１に対応する第１多層膜６２１，６３１と、第２入射領域Ａ２に対応する第２多層膜６２２，６３２と、の厚さ寸法が異なることとした。しかしながら、本発明は、これに限らない。例えば、上記厚さ寸法は同一で、分光特性が異なるようにしてもよい。この場合であっても、上記各実施形態のプロジェクター１と同様の効果を奏することができる。
【００５７】
上記第１及び第２実施形態では、第１多層膜６２１，６３１及び第２多層膜６２２，６３２のうち、光源装置４１Ａ〜４１Ｄのそれぞれから出射された出射光Ｌ１〜Ｌ４の入射角が大きい入射領域に対応する多層膜の厚さ寸法が、他方の入射領域に対応する多層膜の厚さ寸法より小さいこととした。しかしながら、本発明は、これに限らない。例えば、入射角が大きい入射領域の厚さ寸法が他方の入射領域の厚さ寸法と略同一若しくは大きくてもよい。この場合、第１多層膜６２１，６３１及び第２多層膜６２２，６３２の膜特性（分光特性）を異ならせればよい。
【００５８】
上記第２実施形態では、第１多層膜６３１及び第２多層膜６３２の厚さ寸法は、当該第１多層膜６３１及び第２多層膜６３２ごとに出射光Ｌ１〜Ｌ４の入射方向に対して連続して変化していることとした。しかしながら、本発明は、これに限らない。例えば、第１実施形態及び第３実施形態と同様に、矩形板状に形成されていてもよい。
上記第１実施形態では、第１多層膜６３１及び第２多層膜６３２は、矩形板状に形成されることとした。しかしながら、本発明は、これに限らない。例えば、第２実施形態と同様に、出射光Ｌ１〜Ｌ４の入射方向に対して連続して変化するようにしてもよい。
【００５９】
上記第３実施形態では、第１実施形態と同様に、多層膜６４Ａ〜６４Ｄが矩形板状に形成されていることとした。しかしながら、本発明は、これに限らない。例えば、第２実施形態と同様に、多層膜６４Ａ〜６４Ｄの厚さ寸法が出射光Ｌ１〜Ｌ４の進行方向側に向かって連続して大きくなる形状としてもよい。これによれば、第３実施形態においても、第２実施形態と同様の効果を奏することができる。
【００６０】
上記第３実施形態では、多層膜６４Ａ〜６４Ｄを有する複数の透明基板６１Ａ〜６１Ｄを備えることとした。しかしながら、本発明は、これに限らない。例えば、透明基板６１Ａ〜６１Ｄに代えて、２枚の透明部材を備え、当該２枚の透明部材上のうち一方の透明部材上に多層膜６４Ａ，６４Ｃを形成し、他方の透明部材上に多層膜６４Ｂ，６４Ｄを形成するようにしてもよい。
【００６１】
上記各実施形態では、多層膜６２，６３，６４Ａ〜６４Ｄは、透明基板６１，６１Ａ〜６１Ｄに対して蒸着されることにより設けられることとした。しかしながら、本発明は、これに限らない。例えば、多層膜６２，６３，６４Ａ〜６４Ｄは、透明基板６１，６１Ａ〜６１Ｄに対して接着剤により固定されるようにしてもよいし、固定部材等により透明基板６１，６１Ａ〜６１Ｄに固定されるようにしてもよい。
【００６２】
上記第１及び第２実施形態では、光源装置４１Ａ〜４１Ｄに近い第１ダイクロイックミラー６，６Ａ，６Ｂのみが第１多層膜６２１，６３１及び第２多層膜６２２，６３２を備えることとした。しかしながら、本発明は、これに限らない。例えば、第１ダイクロイックミラー６に加えて、本発明の第２色分離素子に相当する第２ダイクロイックミラー７の多層膜が上記第１入射領域及び第２入射領域ごとに膜特性を異ならせるようにしてもよい。また、第３実施形態においても同様である。
【００６３】
上記各実施形態では、光変調装置として透過型の液晶パネル３４１（３４１Ｒ，３４１Ｇ，３４１Ｂ）を用いることとした。しかしながら、本発明は、これに限らない。例えば、透過型の液晶パネル３４１（３４１Ｒ，３４１Ｇ，３４１Ｂ）に代えて、反射型の液晶パネルを用いてもよい。
【００６４】
上記各実施形態では、プロジェクター１は、３つの液晶パネル３４１（３４１Ｒ，３４１Ｇ，３４１Ｂ）を備えることとしたが、本発明はこれに限らない。すなわち、２つ以下、あるいは、４つ以上の液晶パネルを用いたプロジェクターにも、本発明を適用可能である。また、液晶パネルに代えて、デジタルマイクロミラーデバイス等を用いてもよい。
上記各実施形態では、光源装置４１Ａ〜４１Ｄは、発光管４１１、リフレクター４１２及び収納体４１３を備えることとした。しかしながら、本発明は、これに限らない。例えば、半導体レーザー及び蛍光体からなる光源、ＬＥＤ（Light Emitting Diode）、並びにＬＤ（Laser Diode）等であってもよい。
【００６５】
上記各実施形態では、プロジェクター１は、光源装置４１Ａ〜４１Ｄを備えることとした。しかしながら、本発明は、これに限らない。例えば、上記光源装置は２つであってもよいし、６つであってもよい。要すれば、プロジェクター１は、複数の光源装置を備えていればよい。
【符号の説明】
【００６６】
１…プロジェクター、３３…色分離装置、３４１，３４１Ｒ，３４１Ｇ，３４１Ｂ…液晶パネル（光変調装置）、３５…投射光学装置、４１，４１Ａ，４１Ｂ，４１Ｃ，４１Ｄ…光源装置（複数の光源）、６，６Ａ，６Ｂ…第１ダイクロイックミラー（光学素子）、６１…透明基板、６２，６３，６４Ａ〜６４Ｄ…多層膜、Ａ１，Ｅ１…第１入射領域、Ａ２，Ｅ２…第２入射領域、７…第２ダイクロイックミラー（光学素子）。
【図１】
2017044771.tif 000003
【図２】
2017044771.tif 000004
【図３】
2017044771.tif 000005
【図４】
2017044771.tif 000006
【図５】
2017044771.tif 000007
【図６】
2017044771.tif 000008
【図７】
2017044771.tif 000009
【図８】
2017044771.tif 000010